(57)【要約】【課題】検出線の取り扱い性が向上し、組付け作業を容易にできるバッテリモジュール及びバッテリユニットを提供する。【解決手段】複数のセル２１を積層することで構成されるセル積層体２と、複数のセル２１の端子２１１を覆うトップカバー６と、各セル２１の電圧を検出する電圧検出線５と、を備えるバッテリモジュール１であって、トップカバー６は、電圧検出線５を所定の位置に配置させるための位置規制部６２を有する。【選択図】図３
2020064738.tif 000002
【特許請求の範囲】
【請求項１】
複数のセルを積層することで構成されるセル積層体と、
前記複数のセルの出力端子を覆うカバー部材と、
各セルの電圧を検出する電圧検出線、又は、少なくとも一つのセルの温度を検出する温度検出線、を含む検出線と、を備えるバッテリモジュールであって、
前記カバー部材は、前記検出線を所定の位置に配置させるための位置規制部を有する、バッテリモジュール。
【請求項２】
請求項１に記載のバッテリモジュールであって、
前記位置規制部は、前記検出線を前記カバー部材の外縁部よりも内側に位置するように前記検出線を案内する、バッテリモジュール。
【請求項３】
請求項１又は２に記載のバッテリモジュールであって、
前記カバー部材は、樹脂製であり、
前記位置規制部は、前記カバー部材と一体に形成されている、バッテリモジュール。
【請求項４】
請求項１〜３のいずれか１項に記載のバッテリモジュールであって、
前記位置規制部は、前記カバー部材の上面に立設され、前記検出線の移動を規制するガイド部を含む、バッテリモジュール。
【請求項５】
請求項１〜４のいずれか１項に記載のバッテリモジュールであって、
前記位置規制部は、前記カバー部材の上面に前記検出線を固定する固定部を含む、バッテリモジュール。
【請求項６】
請求項５に記載のバッテリモジュールであって、
前記固定部は、前記カバー部材の前記上面に立設された縦壁部と、前記縦壁部から前記上面と略平行に延びる天井壁部と、を備え、
前記上面と前記天井壁部との距離は、前記検出線の線径よりも小さい、バッテリモジュール。
【請求項７】
請求項１〜６のいずれか１項に記載のバッテリモジュールであって、
前記バッテリモジュールは、
前記セル積層体の上面に配置され、前記電圧を検出するセンサ装置をさらに備え、
前記検出線は、前記電圧検出線であり、
前記電圧検出線は、前記センサ装置の側面に設けられたコネクタに接続される、バッテリモジュール。
【請求項８】
請求項１〜７のいずれか１項に記載のバッテリモジュールであって、
前記バッテリモジュールは、
隣接するセル間に設けられる絶縁プレートをさらに備え、
前記カバー部材は、前記絶縁プレートと係合する係合部を有する、バッテリモジュール。
【請求項９】
請求項１〜８のいずれか１項に記載のバッテリモジュールであって、
前記位置規制部は、
前記カバー部材の上面に立設され、前記検出線の移動を規制するガイド部と、
前記カバー部材の前記上面に前記検出線を固定する固定部と、を含み、
前記固定部は、前記カバー部材の前記上面に立設された縦壁部と、前記縦壁部から前記上面と略平行に延びる天井壁部と、を備え、
前記ガイド部及び前記固定部の前記縦壁部は、平面視で前記検出線を挟むように配置されている、バッテリモジュール。
【請求項１０】
請求項９に記載のバッテリモジュールであって、
前記ガイド部及び前記固定部は、それぞれ複数設けられ、
前記ガイド部及び前記固定部の少なくとも一部は、前記検出線の延伸方向に沿って交互に設けられている、バッテリモジュール。
【請求項１１】
隣接して配置された第１バッテリモジュール及び第２バッテリモジュールを備えるバッテリユニットであって、
前記第１バッテリモジュール及び前記第２バッテリモジュールはそれぞれ、
複数のセルを積層することで構成されるセル積層体と、
前記複数のセルの出力端子を覆うカバー部材と、
各セルの電圧を検出する電圧検出線と、を備え、
前記カバー部材は、それぞれ前記電圧検出線を所定の位置に配置させるための位置規制部を有し、
前記第１バッテリモジュールは、前記第１バッテリモジュールの前記セル積層体の上面に配置され、前記電圧を検出するセンサ装置をさらに備え、
前記センサ装置の側面には、前記第１バッテリモジュールの前記電圧検出線が接続される第１コネクタと、前記第２バッテリモジュールの前記電圧検出線が接続される第２コネクタと、が設けられ、
前記第１バッテリモジュールの前記電圧検出線は、前記第１バッテリモジュールの前記位置規制部によって前記第１バッテリモジュールの前記カバー部材の外縁部よりも内側に位置するように案内されながら、前記センサ装置の前記第１コネクタに接続され、
前記第２バッテリモジュールの前記電圧検出線は、少なくとも一部が前記第２バッテリモジュールの前記位置規制部によって位置を規制されながら、前記センサ装置の前記第２コネクタに接続される、バッテリユニット。
【請求項１２】
請求項１１に記載のバッテリユニットであって、
前記第１バッテリモジュール及び前記第２バッテリモジュールの前記カバー部材は、それぞれ前記位置規制部を複数有し、
前記第２バッテリモジュールの前記電圧検出線は、前記複数の位置規制部のうち一部の位置規制部のみによって位置を規制されている、バッテリユニット。
【発明の詳細な説明】
【技術分野】
【０００１】
本発明は、電動車両などに搭載されるバッテリモジュール及びバッテリユニットに関する。
【背景技術】
【０００２】
従来より電動車両などにはバッテリモジュールが搭載されている。例えば、特許文献１には、複数の電池セル（セル）を積層することで構成される電池集合体（セル積層体）と、各電池セルの電圧を検出する電池監視回路（センサ装置）と、を備える電池モジュール（バッテリモジュール）が開示されている。電池集合体の上面には、電池セルの電極端子（バスバー）に一端側が接続される電圧検出線や、サーミスタ素子からなるセンサ素子に一端側が接続される温度検出線が設けられており、これらの検出線の他端側は、組付け時に所定の接続先（電池監視回路など）に接続される。
【先行技術文献】
【特許文献】
【０００３】
【特許文献１】特開２０１６−０７２１８１号公報
【発明の概要】
【発明が解決しようとする課題】
【０００４】
しかしながら、これらの検出線は、組付け前は自由に移動できるため、取り扱い性に劣り、組付け作業を阻害する虞がある。
【０００５】
本発明は、検出線の取り扱い性が向上し、組付け作業を容易にできるバッテリモジュール及びバッテリユニットを提供する。
【課題を解決するための手段】
【０００６】
本発明は、
複数のセルを積層することで構成されるセル積層体と、
前記複数のセルの出力端子を覆うカバー部材と、
各セルの電圧を検出する電圧検出線、又は、少なくとも一つのセルの温度を検出する温度検出線、を含む検出線と、を備えるバッテリモジュールであって、
前記カバー部材は、前記検出線を所定の位置に配置させるための位置規制部を有する。
【０００７】
また、本発明は、
隣接して配置された第１バッテリモジュール及び第２バッテリモジュールを備えるバッテリユニットであって、
前記第１バッテリモジュール及び前記第２バッテリモジュールはそれぞれ、
複数のセルを積層することで構成されるセル積層体と、
前記複数のセルの出力端子を覆うカバー部材と、
各セルの電圧を検出する電圧検出線と、を備え、
前記カバー部材は、それぞれ前記電圧検出線を所定の位置に配置させるための位置規制部を有し、
前記第１バッテリモジュールは、前記第１バッテリモジュールの前記セル積層体の上面に配置され、前記電圧を検出するセンサ装置をさらに備え、
前記センサ装置の側面には、前記第１バッテリモジュールの前記電圧検出線が接続される第１コネクタと、前記第２バッテリモジュールの前記電圧検出線が接続される第２コネクタと、が設けられ、
前記第１バッテリモジュールの前記電圧検出線は、前記第１バッテリモジュールの前記位置規制部によって前記第１バッテリモジュールの前記カバー部材の外縁部よりも内側に位置するように案内されながら、前記センサ装置の前記第１コネクタに接続され、
前記第２バッテリモジュールの前記電圧検出線は、少なくとも一部が前記第２バッテリモジュールの前記位置規制部によって位置を規制されながら、前記センサ装置の前記第２コネクタに接続される。
【発明の効果】
【０００８】
本発明によれば、カバー部材の位置規制部によって検出線を所定の位置に配置させることができるので、検出線の取り扱い性が向上し、組付け作業を容易にできる。
【図面の簡単な説明】
【０００９】
【図１】本発明の一実施形態のバッテリモジュールを斜め上方から見た斜視図である。
【図２】図１のバッテリモジュールの分解斜視図である。
【図３】図１のバッテリモジュールの平面図である。
【図４】図３のＡ−Ａ断面図である。
【図５】図１のバッテリモジュールのトップカバーと絶縁プレートとの係合部を示す斜視図である。
【図６】図５のＢ−Ｂ断面図である。
【図７】本発明の一実施形態のバッテリユニットの平面図である。
【発明を実施するための形態】
【００１０】
以下、本発明のバッテリモジュール及びバッテリユニットの一実施形態を、添付図面に基づいて説明する。なお、図面は符号の向きに見るものとする。
【００１１】
［バッテリモジュール］
図１〜図３に示すように、本実施形態のバッテリモジュール１は、前後方向に複数のセル２１を積層して構成され、前面、後面、左面、右面、上面、及び下面を有するセル積層体２と、セル積層体２の上面側に配置され、セル２１同士を電気的に接続する複数のバスバー３と、セル積層体２の上面側に配置され、複数のバスバー３を保持するバスバープレート４と、バスバープレート４の上面側に配置され、各セル２１の電圧を検出するための複数の電圧検出線５と、少なくとも一つのセル２１の温度を検出するサーミスタ３２に接続される温度検出線８と、バスバープレート４の上面側に配置され、セル２１の端子２１１やバスバー３を覆うトップカバー６と、バスバープレート４の上面側に配置され、複数の電圧検出線５を介して各セル２１の電圧を検出するセンサ装置７と、を備える。
【００１２】
なお、本明細書等では説明を簡単且つ明確にするためにセル２１の積層方向を前後方向と定義し、セル２１の積層方向に直交する方向を左右方向及び上下方向と定義したものであり、バッテリモジュール１が搭載される製品の前後方向等とは無関係である。即ち、バッテリモジュール１が車両に搭載される場合、セル２１の積層方向は、車両の前後方向に一致してもよく、車両の上下方向、左右方向であってもよく、これらの方向から傾斜した方向であってもよい。図面には、バッテリモジュール１の前方をＦｒ、後方をＲｒ、左側をＬ、右側をＲ、上方をＵ、下方をＤ、として示す。
【００１３】
（セル積層体）
図２に示すように、セル積層体２は、複数のセル２１と複数の絶縁プレート２２を前後方向に交互に積層して構成される。本実施形態のセル積層体２は、セル積層体２の前面及び後面に配置される一対のエンドプレート２３と、セル積層体２の左面及び右面に配置され、一対のエンドプレート２３を連結する一対のサイドフレーム２４と、セル積層体２の下面に配置されるロアプレート２５と、を含む保持構造によって保持されるが、セル積層体２の保持構造はこれに限定されない。
【００１４】
（バスバー）
複数のバスバー３は、複数のセル２１が電気的に直列に接続されるように隣接するセル２１の端子２１１同士を接続している。具体的に説明すると、複数のセル２１は、プラス側の端子２１１とマイナス側の端子２１１とが順次左右反転するように積層されており、複数のバスバー３は、セル積層方向の上手側に隣接するセル２１のプラス側（又はマイナス側）の端子２１１と、セル積層方向の下手側に隣接するセル２１のマイナス側（又はプラス側）の端子２１１とを順次接続することで、複数のセル２１を電気的に直列に接続している。
【００１５】
（バスバープレート）
バスバープレート４は、複数のバスバー保持部４１を備え、各バスバー保持部４１に複数のバスバー３を保持させた後、バスバープレート４をセル積層体２の上面に載置すると、複数のバスバー３が対応する端子２１１と接続可能な所定の位置に位置決めされる。なお、本実施形態のバスバープレート４は、バスバー３を端子２１１に接続した後に取り外される治具ではなく、バスバー３を端子２１１に接続した後も取付状態を維持するバッテリモジュール１の構成要素である。
【００１６】
（電圧検出線）
複数の電圧検出線５は、一端部が各バスバー３に接続され、他端部がケーブル側コネクタ５１を介してセンサ装置７に接続される。各電圧検出線５の一端部には、図３に示すように、端子部５２がそれぞれ設けられ、これらの端子部５２が各バスバー３に設けられる端子部３１に溶接等で接続される。複数の電圧検出線５は、一端側がバスバープレート４の上面に沿って配索され、他端側が結束された状態でトップカバー６の上面側に引き出される。このような電圧検出線５によれば、ケーブル側コネクタ５１を介してセンサ装置７に接続することにより、各セル２１の電圧検出が可能となるが、センサ装置７への接続が行われる組付け工程以前では、電圧検出線５の他端側が自由に移動できる状態であると、取り扱い性に劣り、組付け作業を阻害する虞がある。
【００１７】
（トップカバー）
トップカバー６は、樹脂製のカバー部材であり、少なくとも各セル２１の端子２１１と複数のバスバー３を覆う状態でバスバープレート４の上面側に取付けられる。本実施形態のトップカバー６は、隣接するセル２１間に設けられる複数の絶縁プレート２２を利用して取付けられている。図５及び図６を参照して具体的に説明すると、すべての絶縁プレート２２又は特定の絶縁プレート２２には、上端部の左右両端部から上方に延出する係合部２２１が設けられ、トップカバー６には、左右両端部から下方に延出する係合部６１が設けられている。トップカバー６の組付けに際し、トップカバー６を上方から所定の取付け位置に装着すると、絶縁プレート２２の係合部２２１に形成される爪部２２１ａと、トップカバー６の係合部６１に形成される爪部６１ａとが互いに係合し、トップカバー６がセル積層体２に対して固定される。このようなトップカバー６の取付構造によれば、トップカバー６を固定するための固定部材が不要になるので、部品点数を削減できる。
【００１８】
図１〜図３に示すように、トップカバー６は、電圧検出線５の他端側を所定の位置に配置させるための位置規制部６２と、温度検出線８を所定の位置に配置させるための位置規制部６３と、を備える。このようなトップカバー６によれば、トップカバー６の位置規制部６２、６３によって電圧検出線５及び温度検出線８を所定の位置に配置させることができるので、電圧検出線５及び温度検出線８の取り扱い性が向上し、組付け作業を容易にできる。また、本実施形態の位置規制部６２、６３は、樹脂製であるトップカバー６と一体に形成されている。これにより、位置規制部６２、６３をトップカバー６に取り付ける作業が不要になる。以下、位置規制部６２について詳細に説明する。
【００１９】
図１及び図３に示すように、位置規制部６２は、電圧検出線５をトップカバー６の外縁部よりも内側に位置するように電圧検出線５を案内する。例えば、本実施形態の電圧検出線５の他端側は、後方を向くようにトップカバー６の上面側に引き出されるが、位置規制部６２は、後方に向かって引き出された電圧検出線５の他端側を左側方に向かって案内した後、前方に向かって案内し、トップカバー６の左側外縁部の内側に沿わせる。このような位置規制部６２によれば、電圧検出線５をトップカバー６の外縁部よりも内側に位置させることができるので、電圧検出線５のはみ出しによる組付け作業性の低下を防止できる。
【００２０】
位置規制部６２は、トップカバー６の上面に立設され、電圧検出線５の移動を規制する複数のガイド部６２１Ａ〜６２１Ｄと、トップカバー６の上面に電圧検出線５を固定する複数の固定部６２２Ａ〜６２２Ｃと、を含む。
【００２１】
第１のガイド部６２１Ａは、トップカバー６の上面に左右方向に沿って立設され、電圧検出線５の他端側を左右方向に沿って案内するとともに、後方への移動を規制する。また、第２〜第４のガイド部６２１Ｂ〜６２１Ｄは、トップカバー６の上面（左側外縁部）に前後方向に沿って立設され、電圧検出線５の他端側を前後方向に沿って案内するとともに、左外側方への移動を規制する。このようなガイド部６２１Ａ〜６２１Ｄによれば、少なくとも一方への電圧検出線５の移動を規制することにより、簡易な構成で電圧検出線５を案内することができる。
【００２２】
図４に示すように、第１〜第３の固定部６２２Ａ〜６２２Ｃは、トップカバー６の上面に立設された縦壁部６２２ａと、縦壁部６２２ａの上端部からトップカバー６の上面と略平行に延びる天井壁部６２２ｂと、を備える。このような固定部６２２Ａ〜６２２Ｃによれば、縦壁部６２２ａによって電圧検出線５の他端側の少なくとも一方への移動を規制しつつ、トップカバー６の上面及び天井壁部６２２ｂによって電圧検出線５の他端側の上下方向の移動を規制することにより、トップカバー６の上面に電圧検出線５の他端側を固定することができる。
【００２３】
また、第１〜第３の固定部６２２Ａ〜６２２Ｃは、トップカバー６の上面と天井壁部６２２ｂとの距離Ｌが、電圧検出線５の他端側の線径Ｒよりも小さくなるように形成されている。このような固定部６２２Ａ〜６２２Ｃによれば、トップカバー６の上面と天井壁部６２２ｂとの間に電圧検出線５の他端側を上下方向に挟み込むことができるので、電圧検出線５の移動を確実に規制することができる。
【００２４】
図３に示すように、位置規制部６２を構成する第２〜第４のガイド部６２１Ｂ〜６２１Ｄと第１〜第３の固定部６２２Ａ〜６２２Ｃの縦壁部６２２ａは、平面視で電圧検出線５を挟むように配置されている。このような位置規制部６２によれば、トップカバー６の上面と固定部６２２Ａ〜６２２Ｃの天井壁部６２２ｂにより電圧検出線５の他端側の上下方向の移動を規制することができるだけでなく、電圧検出線５の他端側を挟むように配置されたガイド部６２１Ｂ〜６２１Ｄと固定部６２２Ａ〜６２２Ｃの縦壁部６２２ａとにより電圧検出線５の他端側の水平方向の移動も規制することができる。
【００２５】
さらに、図３に示すように、位置規制部６２を構成する第２〜第４のガイド部６２１Ｂ〜６２１Ｄと第１〜第３の固定部６２２Ａ〜６２２Ｃは、電圧検出線５の他端側の延伸方向に沿って交互に設けられている。このような位置規制部６２によれば、ガイド部６２１Ｂ〜６２１Ｄ及び固定部６２２Ａ〜６２２Ｃによって電圧検出線５の他端側を確実に移動規制するものでありながら、電圧検出線５の他端側を固定部６２２Ａ〜６２２Ｃに固定する際にガイド部６２１Ｂ〜６２１Ｄが邪魔になることを防止でき、電圧検出線５の他端側の配索作業が容易になる。なお、温度検出線８を所定の位置に配置させるための位置規制部６３は、第１〜第３の固定部６２２Ａ〜６２２Ｃと同じ構成を有するので詳しい説明は省略する。
【００２６】
（センサ装置）
図１〜図３に示すように、センサ装置７は、不図示の電圧検出基板を収容するケース７１と、該ケース７１の側面に配置され、ケーブル側コネクタ５１及び電圧検出線５を介してバスバー３に接続される電圧検出用コネクタ７２と、を備える。なお、本実施形態のセンサ装置７は、１つのバッテリモジュール１の電圧検出を行うため、１つの電圧検出用コネクタ７２を備えるが、２つ以上のバッテリモジュール１の電圧検出を行う場合は、２つ以上の電圧検出用コネクタ７２を備えることができる。
【００２７】
ケース７１は、ボルトＢを介してエンドプレート２３に固定される固定部７１１と、トップカバー６上に係止される複数の係止部７１２と、を備えており、固定部７１１及び複数の係止部７１２を介してセンサ装置７がバッテリモジュール１に組付けられる。
【００２８】
図１及び図３に示すように、電圧検出線５の他端部に設けられるケーブル側コネクタ５１は、所定の工程においてセンサ装置７の電圧検出用コネクタ７２に接続される。このとき、電圧検出線５の他端側がトップカバー６の位置規制部６２によって位置規制された状態であれば、ケーブル側コネクタ５１をセンサ装置７の電圧検出用コネクタ７２に容易に接続することができるだけでなく、バッテリモジュール１の使用時おいてもトップカバー６の位置規制部６２によって電圧検出線５の他端側を位置規制することができる。
【００２９】
［バッテリユニット］
つぎに、隣接して配置された第１バッテリモジュール１Ａ及び第２バッテリモジュール１Ｂを備えるバッテリユニット１００について、図７を参照して説明する。なお、前述したバッテリモジュール１と共通の構成については、前述したバッテリモジュール１と同じ符号を用いることにより、前述したバッテリモジュール１の説明を援用する。
【００３０】
第１バッテリモジュール１Ａ及び第２バッテリモジュール１Ｂは、前述したバッテリモジュール１と同様に、複数のセル２１を積層することで構成されるセル積層体２と、複数のセル２１の端子２１１を覆うトップカバー６と、各セル２１の電圧を検出するための電圧検出線５Ａ、５Ｂと、セル積層体２の温度を検出するサーミスタ３２に接続される温度検出線８と、を備え、トップカバー６は、それぞれ電圧検出線５Ａ、５Ｂを所定の位置に配置させるための位置規制部６２と、温度検出線８を所定の位置に配置させるための位置規制部６３と、を有する。
【００３１】
第１バッテリモジュール１Ａは、セル積層体２の上面側に配置されて各セル２１の電圧を検出するセンサ装置７Ａを備える。第１バッテリモジュール１Ａに配置されるセンサ装置７の側面には、第１バッテリモジュール１Ａの電圧検出線５Ａが接続される第１電圧検出用コネクタ７２Ａと、第２バッテリモジュール１Ｂの電圧検出線５Ｂが接続される第２電圧検出用コネクタ７２Ｂと、が設けられる。このようなバッテリユニット１００によれば、第２バッテリモジュール１Ｂの電圧検出線５Ｂが第１バッテリモジュール１Ａに配置されるセンサ装置７Ａに接続されるので、第２バッテリモジュール１Ｂにセンサ装置が不要となる。なお、図７中、符号９は、ダミーカバーである。
【００３２】
第１バッテリモジュール１Ａの電圧検出線５Ａの他端側は、第１バッテリモジュール１Ａのトップカバー６に設けられる位置規制部６２によって第１バッテリモジュール１Ａのトップカバー６の外縁部よりも内側に位置するように案内されながら、センサ装置７Ａの第１電圧検出用コネクタ７２Ａに接続される。なお、第１バッテリモジュール１Ａの電圧検出線５Ａの他端側は、前述したバッテリモジュール１の電圧検出線５よりも短いため、位置規制部６２の一部である第１及び第２のガイド部６２１Ａ、６２１Ｂと第１及び第２の固定部６２２Ａ、６２２Ｂによって案内される。
【００３３】
第２バッテリモジュール１Ｂの電圧検出線５Ｂの他端側は、少なくとも一部が第２バッテリモジュール１Ｂのトップカバー６に設けられる位置規制部６２によって位置を規制されながら、第１バッテリモジュール１Ａに配置されるセンサ装置７Ａの第２電圧検出用コネクタ７２Ｂに接続される。具体的に説明すると、第２バッテリモジュール１Ｂの電圧検出線５Ｂの他端側は、位置規制部６２の一部である第１及び第２のガイド部６２１Ａ、６２１Ｂと第１及び第２の固定部６２２Ａ、６２２Ｂによって位置規制された状態でセンサ装置７の第２電圧検出用コネクタ７２Ｂに接続される。
【００３４】
このようなバッテリユニット１００によれば、第２バッテリモジュール１Ｂの電圧検出線５Ｂを第１バッテリモジュール１Ａに配置されるセンサ装置７Ａに接続する場合であっても、第２バッテリモジュール１Ｂの電圧検出線５Ｂの他端側を第２バッテリモジュール１Ｂのトップカバー６に設けられる位置規制部６２の一部によって位置規制することができる。また、本実施形態のバッテリユニット１００では、第１バッテリモジュール１Ａと第２バッテリモジュール１Ｂとでトップカバー６を共通としているので、コストダウンが図れる。
【００３５】
なお、前述した実施形態は、適宜、変形、改良、等が可能である。例えば、上記実施形態では、電圧検出線５及び温度検出線８がトップカバー６の上面に配置されたが、電圧検出線５及び温度検出線８の少なくとも一方の検出線がトップカバー６の上面に配置されていればよい。
【００３６】
本明細書には少なくとも以下の事項が記載されている。なお、括弧内には、上記した実施形態において対応する構成要素等を示しているが、これに限定されるものではない。
【００３７】
（１）  複数のセル（セル２１）を積層することで構成されるセル積層体（セル積層体２）と、
前記複数のセルの出力端子（端子２１１）を覆うカバー部材（トップカバー６）と、
各セルの電圧を検出する電圧検出線（電圧検出線５）、又は、少なくとも一つのセルの温度を検出する温度検出線（温度検出線８）、を含む検出線と、を備えるバッテリモジュール（バッテリモジュール１）であって、
前記カバー部材は、前記検出線を所定の位置に配置させるための位置規制部（位置規制部６２）を有する、バッテリモジュール。
【００３８】
（１）によれば、カバー部材の位置規制部によって検出線を所定の位置に配置させることができるので、検出線の取り扱い性が向上し、組付け作業を容易にできる。
【００３９】
（２）  （１）に記載のバッテリモジュールであって、
前記位置規制部は、前記検出線を前記カバー部材の外縁部よりも内側に位置するように前記検出線を案内する、バッテリモジュール。
【００４０】
（２）によれば、位置規制部により検出線をカバー部材の外縁部よりも内側に位置させることができ、検出線のはみ出しを防止できる。
【００４１】
（３）  （１）又は（２）に記載のバッテリモジュールであって、
前記カバー部材は、樹脂製であり、
前記位置規制部は、前記カバー部材と一体に形成されている、バッテリモジュール。
【００４２】
（３）によれば、位置規制部をカバー部材と樹脂により一体形成することで、位置規制部をカバー部材に取り付ける作業を不要にできる。
【００４３】
（４）  （１）〜（３）のいずれかに記載のバッテリモジュールであって、
前記位置規制部は、前記カバー部材の上面に立設され、前記検出線の移動を規制するガイド部（ガイド部６２１Ａ〜６２１Ｄ）を含む、バッテリモジュール。
【００４４】
（４）によれば、少なくとも一方への検出線の移動を規制するガイド部により、簡易な構成で検出線を案内することができる。
【００４５】
（５）  （１）〜（４）のいずれかに記載のバッテリモジュールであって、
前記位置規制部は、前記カバー部材の上面に前記検出線を固定する固定部（固定部６２２Ａ〜６２２Ｃ）を含む、バッテリモジュール。
【００４６】
（５）によれば、カバー部材の上面に検出線を固定する固定部により、確実に検出線の移動を規制することができる。
【００４７】
（６）  （５）に記載のバッテリモジュールであって、
前記固定部は、前記カバー部材の前記上面に立設された縦壁部（縦壁部６２２ａ）と、前記縦壁部から前記上面と略平行に延びる天井壁部（天井壁部６２２ｂ）と、を備え、
前記上面と前記天井壁部との距離（距離Ｌ）は、前記検出線の線径（線径Ｒ）よりも小さい、バッテリモジュール。
【００４８】
（６）によれば、カバー部材の上面と固定部の天井壁部との距離が検出線の線径よりも小さいので、固定部により検出線を上下方向に挟み込むことができ、検出線の移動を規制することができる。
【００４９】
（７）  （１）〜（６）のいずれかに記載のバッテリモジュールであって、
前記バッテリモジュールは、
前記セル積層体の上面に配置され、前記電圧を検出するセンサ装置（センサ装置７）をさらに備え、
前記検出線は、前記電圧検出線であり、
前記電圧検出線は、前記センサ装置の側面に設けられたコネクタ（電圧検出用コネクタ７２）に接続される、バッテリモジュール。
【００５０】
（７）によれば、検出線は電圧検出線であって、センサ装置の側面に設けられたコネクタに接続されるので、セル積層体の上面に位置規制部によって位置規制された状態で電圧検出線をセンサ装置に容易に接続することができる。
【００５１】
（８）  （１）〜（７）のいずれかに記載のバッテリモジュールであって、
前記バッテリモジュールは、
隣接するセル間に設けられる絶縁プレート（絶縁プレート２２）をさらに備え、
前記カバー部材は、前記絶縁プレートと係合する係合部（係合部２２１）を有する、バッテリモジュール。
【００５２】
（８）によれば、カバー部材は絶縁プレートと係合する係合部を有するので、カバー部材を固定するための固定部材を設ける必要がなく、部品点数を削減できる。
【００５３】
（９）  （１）〜（８）のいずれかに記載のバッテリモジュールであって、
前記位置規制部は、
前記カバー部材の上面に立設され、前記検出線の移動を規制するガイド部（ガイド部６２１Ａ〜６２１Ｄ）と、
前記カバー部材の前記上面に前記検出線を固定する固定部（固定部６２２Ａ〜６２２Ｃ）と、を含み、
前記固定部は、前記カバー部材の前記上面に立設された縦壁部（縦壁部６２２ａ）と、前記縦壁部から前記上面と略平行に延びる天井壁部（天井壁部６２２ｂ）と、を備え、
前記ガイド部及び前記固定部の前記縦壁部は、平面視で前記検出線を挟むように配置されている、バッテリモジュール。
【００５４】
（９）によれば、固定部の天井壁部により検出線の上下方向の移動を規制することができ、さらに検出線を挟むように配置されたガイド部と固定部の縦壁部とにより、検出線の水平方向の移動も規制することができる。
【００５５】
（１０）  （９）に記載のバッテリモジュールであって、
前記ガイド部及び前記固定部は、それぞれ複数設けられ、
前記ガイド部及び前記固定部の少なくとも一部は、前記検出線の延伸方向に沿って交互に設けられている、バッテリモジュール。
【００５６】
（１０）によれば、ガイド部及び固定部の少なくとも一部は、検出線の延伸方向に沿って交互に設けられているので、検出線の移動を規制しつつ検出線の配索作業を容易にできる。
【００５７】
（１１）  隣接して配置された第１バッテリモジュール（第１バッテリモジュール１Ａ）及び第２バッテリモジュール（第２バッテリモジュール１Ｂ）を備えるバッテリユニット（バッテリユニット１００）であって、
前記第１バッテリモジュール及び前記第２バッテリモジュールはそれぞれ、
複数のセル（セル２１）を積層することで構成されるセル積層体（セル積層体２）と、
前記複数のセルの出力端子（端子２１１）を覆うカバー部材（トップカバー６）と、
各セルの電圧を検出する電圧検出線（電圧検出線５Ａ、５Ｂ）と、を備え、
前記カバー部材は、それぞれ前記電圧検出線を所定の位置に配置させるための位置規制部（位置規制部６２）を有し、
前記第１バッテリモジュールは、前記第１バッテリモジュールの前記セル積層体の上面に配置され、前記電圧を検出するセンサ装置（センサ装置７Ａ）をさらに備え、
前記センサ装置の側面には、前記第１バッテリモジュールの前記電圧検出線が接続される第１コネクタ（第１電圧検出用コネクタ７２Ａ）と、前記第２バッテリモジュールの前記電圧検出線が接続される第２コネクタ（第２電圧検出用コネクタ７２Ｂ）と、が設けられ、
前記第１バッテリモジュールの前記電圧検出線は、前記第１バッテリモジュールの前記位置規制部によって前記第１バッテリモジュールの前記カバー部材の外縁部よりも内側に位置するように案内されながら、前記センサ装置の前記第１コネクタに接続され、
前記第２バッテリモジュールの前記電圧検出線は、少なくとも一部が前記第２バッテリモジュールの前記位置規制部によって位置を規制されながら、前記センサ装置の前記第２コネクタに接続される、バッテリユニット。
【００５８】
（１１）によれば、第１バッテリモジュールの位置規制部により第１バッテリモジュールの電圧検出線をカバー部材の外縁部よりも内側に位置させることができ、電圧検出線のはみ出しを防止できる。また、第１バッテリモジュールの電圧検出線はセンサ装置の側面に設けられたコネクタに接続されるので、セル積層体の上面に位置規制部によって位置規制された状態で電圧検出線をセンサ装置に容易に接続することができる。また、第２バッテリモジュールの電圧検出線は、第１バッテリモジュールに配置されるセンサ装置に接続されるので、第２バッテリモジュールにセンサ装置が不要となる。
【００５９】
（１２）  （１１）に記載のバッテリユニットであって、
前記第１バッテリモジュール及び前記第２バッテリモジュールの前記カバー部材は、それぞれ前記位置規制部を複数有し、
前記第２バッテリモジュールの前記電圧検出線は、前記複数の位置規制部のうち一部の位置規制部のみによって位置を規制されている、バッテリユニット。
【００６０】
（１２）によれば、第１バッテリモジュールと第２バッテリモジュールとでカバー部材を共通にできる。
【符号の説明】
【００６１】
１  バッテリモジュール
１Ａ  第１バッテリモジュール
１Ｂ  第２バッテリモジュール
２  セル積層体
２１  セル
２１１  端子（出力端子）
２２  絶縁プレート
２２１  係合部
５  電圧検出線（検出線）
５Ａ  電圧検出線
５Ｂ  電圧検出線
６  トップカバー（カバー部材）
６２  位置規制部
６２１Ａ〜６２１Ｄ  ガイド部
６２２Ａ〜６２２Ｃ  固定部
６２２ａ  縦壁部
６２２ｂ  天井壁部
７  センサ装置
７Ａ  センサ装置
７２  電圧検出用コネクタ（コネクタ）
７２Ａ  第１電圧検出用コネクタ
７２Ｂ  第２電圧検出用コネクタ
８  温度検出線
１００  バッテリユニット
【図１】
2020064738.tif 000003
【図２】
2020064738.tif 000004
【図３】
2020064738.tif 000005
【図４】
2020064738.tif 000006
【図５】
2020064738.tif 000007
【図６】
2020064738.tif 000008
【図７】
2020064738.tif 000009